(57)【要約】【課題】  監視システムにおいて、親機を交換したとき子機と親機との縁組を容易に行う。【解決手段】  センサを備えた子機１０、親機２０、センタ装置３０とからなる監視システムにおいて、旧親機の識別情報（例えばＭＡＣアドレス）を新親機に保存し、新親機は保存された旧親機の識別情報を使って新親機の識別情報を子機に送信する。子機は受信した新親機の識別情報を自身のメモリに保存することで新しい親・子の縁組が構築される。【選択図】          図１
2006245638.tif 000002
【特許請求の範囲】
【請求項１】
監視用センサを備えた子機と、該子機と通信可能に接続された親機と、該親機と通信可能に接続されたセンタ装置とからなる監視システムにおける親機の交換に伴う親機と子機との縁組方法であって、
旧親機及び子機の識別情報を新親機に保存する工程と、
新親機が保存された旧親機の識別情報及び子機の識別情報を用いて自身の識別情報を子機に送信する工程と、
子機が受信した新親機の識別情報を保存する工程と、
を有することを特徴とする親機の交換に伴う親機と子機との縁組方法。
【請求項２】
監視用センサを備えた子機と、該子機と通信可能に接続された親機と、該親機と通信可能に接続されたセンタ装置とからなる監視システムにおける親機の交換に伴う親機と子機との縁組方法であって、
旧親機及び子機の識別情報を情報端末装置に保存する工程と、
前記情報端末装置に保存した旧親機及び子機の識別情報を新親機のメモリに書き込む工程と、
新親機が書き込まれた旧親機の識別情報及び子機の識別情報を用いて自身の識別情報を子機に送信する工程と、
子機が受信した新親機の識別情報を保存する工程と、
を有することを特徴とする親機の交換に伴う親機と子機との縁組方法。
【請求項３】
監視用センサを備えた子機と、該子機と通信可能に接続された親機と、該親機と通信可能に接続されたセンタ装置とからなる監視システムにおける親機の交換に伴う親機と子機との縁組方法であって、
旧親機及び子機の識別情報をセンタ装置に保存する工程と、
センタ装置から新親機に旧親機及び子機の識別情報を送信する工程と、
新親機が受信した旧親機及び子機の識別情報を用いて子機に自身の識別情報を送信する工程と、
子機が受信した新親機の識別情報を保存する工程と、
を有することを特徴とする親機の交換に伴う親機と子機との縁組方法。
【発明の詳細な説明】
【技術分野】
【０００１】
本発明は、子機、親機、センタ装置とからなる監視システムにおいて、親機の交換にともなう親機と子機との縁組方法に関するものである。
【背景技術】
【０００２】
例えば、ガスの使用量或いは施設内の温度等を監視してセンタに通報する遠隔監視システムが広く用いられている。これらのシステムは、センサ付きの子機で感知した監視信号を親機に送信し、親機の送信機から通信回線或いはインターネットなどのネットワークを経由して、センタ装置の監視サーバ（監視ＰＣ）等に送付して、センタ装置側で監視することが行われている。
【０００３】
この場合、子機は例えばガスの流量計や温度計の近傍に設置されてこれらを常時監視しており、定期的或いは親機からの送信要求に従って自身のＩＤと共にセンサによる検知情報を前記親機に送信し、前記親機は、その管理下にある子機からの情報を受信するとその情報をセンタ装置に送信する。
【０００４】
このような遠隔監視システムの１例として、マンション各戸のガス等の検針メータをＩＤ（識別）コードが付された子機に接続し、検針時に検針要求とＩＤコードを入力し、該当するＩＤコードの子機の検針データを親機に送信するシステムが知られている（特許文献１参照）。
【０００５】
このような遠隔監視システムでは、一つの親機に対し例えば最大２００個の子機の割り当てが可能であり、そのため、混信を回避して親機子機間で正しい交信を行うためには、各子機に割り当てられるＩＤコードと親機が管理しているＩＤコードを合致させ親子間で通信チャンネルを確立する必要があり、そのためにＩＤコードを相互に登録する作業つまり親機・子機の縁組み作業が必須である。
【０００６】
このような親機と子機との縁組みを行うのに、従来は子機側に親機登録用のスイッチ素子とＩＤコード及びチャンネル設定用の複数のスイッチ素子とからなるディップスイッチを設け、他方、親機側には、子機登録用等の複数のスイッチ素子と、複数のチャンネル設定用のスイッチ素子からなるディップスイッチを設けて、それぞれのディップスイッチを起動して前記親子の縁組作業を行っていた。
しかし、このディップスイッチ素子を用いて縁組み処理を行う場合には、親機と子機のディップスイッチ素子をそれぞれ操作する必要があるだけではなく、その操作は手動で行うため、煩雑な上操作ミスが発生する虞があり、正確な設定を行うためには時問を要するという問題がある。
【０００７】
そこで、本出願人は、先に、従来のＩＤコードをディップスイッチに代えて各機器の製造時に付与されるＭＡＣ（Media Access Control）アドレスを用いて親機、子機の縁組み処理を行うことを提案した（特許文献２参照）。
【０００８】
このＭＡＣアドレスを用いた親機、子機の縁組み処理では、例えば、親機の操作入力部から登録モードの設定を入力して各子機に登録受付開始を通知し、これに応じて子機はそのアドレス記憶部から自身のＭＡＣアドレスを読み出して親機に送信し、親機は子機から送信されたＭＡＣアドレスをその制御部のアドレス管理テーブルに書き込み、その後、自身のＭＡＣアドレスを子機に送信する。子機は、受信した親機のＭＡＣアドレスをアドレス記憶部に記憶する。
親機は子機から親機のＭＡＣアドレス登録終了の通知を受けた後に、接続したパソコン（パーソナルコンピュータ）から子機ＩＤ、子機種別、設置場所等の情報を入力し、登録作業を終了する。子機は親機からの登録作業終了通知を受けて自身の登録作業を終了して全ての縁組み処理作業が完了する。
【０００９】
この縁組み処理では、親機側で全ての操作が行えるため、子機が多数存在してもその縁組み処理の実行が容易であり、かつＭＡＣアドレスの登録を自動で行えるから便利である。
しかしながら、このような遠隔管理システムにおいて、一旦縁組み設定した後にその中心となる親機が故障等の理由で使用不能となった場合には、故障した親機（旧親機という）を新しい親機（新親機という）に交換すると、新親機のＭＡＣアドレスは旧親機のものとは異なるため子機との通信はもはや不可能である。
【００１０】
その場合、新親機と子機が交信できるようにするためには、改めて新親機と子機間で縁組み処理を行う必要がある。そこで、従来は、新親機にパソコンを接続した上で、各子機に付設された登録ボタンを押下し、各子機側から自身のＭＡＣアドレスを新親機に送信して親機側に各子機のＭＡＣアドレスやパソコンから取り込んだ設置位置情報等を登録し、新親機は登録された子機のＭＡＣアドレスを基に、新親機が子機に自身のＭＡＣアドレスを送信して子機側に記憶させて縁組み処理を行っている。
【００１１】
ところが、子機は通常広範囲に配置されかつ接続台数も多いことから、この再縁組処理作業は煩雑であるばかりではなく、子機は、通常各戸の敷地内などにあり近づくことも容易ではない場合があり、時間もコストもかるという問題がある。
【特許文献１】特開平８−２４９５８４号公報
【特許文献２】特願２００４−２９９９３号
【発明の開示】
【発明が解決しようとする課題】
【００１２】
本発明は、上記従来の問題に鑑みてなされたものであって、その目的は、親機と複数の子機とからなる既存の遠隔監視システムにおいて、旧親機を新親機と取り換えた場合に、新親機と子機とを容易かつ確実に縁組できるようにすることである。
【課題を解決するための手段】
【００１３】
請求項１の発明は、監視用センサを備えた子機と、該子機と通信可能に接続された親機と、該親機と通信可能に接続されたセンタ装置とからなる監視システムにおける親機の交換に伴う親機と子機との縁組方法であって、旧親機及び子機の識別情報を新親機に保存する工程と、新親機が保存された旧親機の識別情報及び子機の識別情報を用いて自身の識別情報を子機に送信する工程と、子機が受信した新親機の識別情報を保存する工程と、を有することを特徴とする。
請求項２の発明は、監視用センサを備えた子機と、該子機と通信可能に接続された親機と、該親機と通信可能に接続されたセンタ装置とからなる監視システムにおける親機の交換に伴う親機と子機との縁組方法であって、旧親機及び子機の識別情報を情報端末装置に保存する工程と、前記情報端末装置に保存した旧親機及び子機の識別情報を新親機のメモリに書き込む工程と、新親機が書き込まれた旧親機の識別情報及び子機の識別情報を用いて自身の識別情報を子機に送信する工程と、子機が受信した新親機の識別情報を保存する工程と、を有することを特徴とする。
請求項３の発明は、監視用センサを備えた子機と、該子機と通信可能に接続された親機と、該親機と通信可能に接続されたセンタ装置とからなる監視システムにおける親機の交換に伴う親機と子機との縁組方法であって、旧親機及び子機の識別情報をセンタ装置に保存する工程と、センタ装置から新親機に旧親機及び子機の識別情報を送信する工程と、新親機が受信した旧親機及び子機の識別情報を用いて子機に自身の識別情報を送信する工程と、子機が受信した新親機の識別情報を保存する工程と、を有することを特徴とする。
【００１４】
（作用）
親機と子機、及びセンタ装置とからなる遠隔監視システムにおいて、親機を交換する場合に、交換した親機と子機との縁組みを行うため、新親機に旧親機の識別情報を与えることで、新親機と子機との通信を可能にし、その状態で新親機から子機に対して自身の識別情報を送信する。子機側では新、旧親機の識別情報を両方とも保存するか或いは、新親機の識別情報で旧親機の識別情報に上書きしてもよい。以後は、新親機はその識別情報を用いて子機と通信できる。
【発明の効果】
【００１５】
本発明によれば、遠隔監視システムにおいて、親機を交換したとき、親機或いはセンタ装置側で親機と子機の縁組み操作を行うことができるから、子機が広範囲に設置されている場合であっても、子機の設置位置とは無関係に再縁組を容易に行うことができ煩わしさを解消することができる。
【発明を実施するための最良の形態】
【００１６】
本発明の実施形態を添付する図面に従って説明する。
図１は、本発明の遠隔監視システムの１実施形態を示すブロック図である。
図示のように、本監視システムは、例えば集合住宅の各戸毎に、そのガスの使用量を検知する子機１０と、これらの無線子機１０を管理する親機２０と、親機２０と通信回線等を介して接続されたセンタ装置３０とから成っている。
親機２０で収集した各子機の検知情報は、その子機１０の識別情報（ＭＡＣアドレス）と共にセンタ装置３０に送信され、センタ装置に設置された監視サーバ等に入力される等して監視される。
【００１７】
図２は、本発明の遠隔監視システムにおける親機及び子機からなる検針端末システムの１実施形態の構成を示すブロック図である。
この検針システムにおける子機１０は、親機２０と無線で通信を行う通信インターフェース（Ｉ／Ｆ）部１１、プロセッサにより構成される制御部１２を有する。制御部１２にはプログラムにより実現される機能実現手段として、親機のＭＡＣアドレスを登録する処理を行うアドレス登録手段１２ａを有する。更に子機１０は、登録した親機のＭＡＣアドレス及び自身のＭＡＣアドレス１４を記憶しておくアドレス記憶部１３を有している。
【００１８】
親機２０は、子機１０と無線で通信を行う通信インターフェース（Ｉ／Ｆ）部２１、プロセッサにより構成される制御部２２を有する。制御部２２はプログラムにより実現される機能実現手段として、子機のＭＡＣアドレスを登録する処理を行うアドレス登録手段２２ａを有する。更に親機２０は、登録した親機のＭＡＣアドレスをアドレス管理テーブル２３ａとして記憶し、また自身のＭＡＣアドレス２６を記憶するアドレス記憶部２３、ＬＥＤからなり親機の動作状態を表示する回路部を備えた表示部２４、キースイッチからなり各種操作入力を受付け、制御部２２へ出力する回路部を備えた操作入力部２５を有している。なお、図２には記載が省略されているが、親機２０は、設定用のパソコン（パーソナルコンピュータ）ＰＣを接続するための外部入出力端子を備え、各種情報の入力ができるようになっている。
【００１９】
図３は、センタ装置３０の構成を概略的に示したブロック図である。
センタ装置３０は、同装置３０全体を制御する制御部３１と、親機２０から通信回線を介しで通信を行う通信インタフェース（Ｉ／Ｆ）部３２と、親機２０から送信されてきた監視情報等を保存するための記憶部３３、その他、表示部３４，操作入力部３５等から成っており、制御部３１には、親機２０と子機１０のそれぞれのＭＡＣアドレスの登録処理を行うアドレス登録手段３１ａを有している。
【００２０】
次に、以上で説明した前記子機１０と親機２０との縁組み処理について図４に示す処理フロー図に従って説明する。
まず、情報端末装置、例えばパソコンＰＣを用いて縁組処理を行う第１の実施形態について説明する。
パソコンＰＣを旧親機２０の外部入出力端子に接続して、旧親機２０のアドレス記憶部２３からそのＭＡＣアドレスを、また子機１０のＭＡＣアドレスをアドレス登録手段２２ａから読み出して保存する（Ｓ１０１）。続いて、パソコンＰＣと新親機２０とを接続して、新親機２０のパソコンＰＣからそれぞれアドレス登録手段２２ａに前記旧親機及び子機のＭＡＣアドレスを書き込み（Ｓ１０２）、新親機と子機との縁組み処理を行う（Ｓ１０３）。
続いて、新親機は旧親機及び子機のＭＡＣアドレスを用いて子機と通信して登録要求信号と共に自身のＭＡＣアドレスを送信する（Ｓ１０４）、子機１０は、親機から送信信号に基づきそのアドレス登録手段１２ａに新親機のＭＡＣアドレスを書き込む（Ｓ１０５）。その際、各子機１００に新旧親機の２種類のＭＡＣアドレスを格納するか或いは旧親機のＭＡＣアドレスの上に新親機のＭＡＣアドレスを上書きして消去する。最後に、子機が保存を完了したとき完了信号を親機に送信することで全ての処理が完了する。
【００２１】
この第１の実施形態で親機、子機の縁組を行う場合には、親機の設置場所でパソコンＰＣを操作することで縁組のための全ての操作が行えるから、子機の設置位置に無関係に親機と子機との再縁組処理を容易に行うことができる。
【００２２】
次に、センタ装置３０を用いて縁組処理を行う第２の実施形態について図５に示す処理フロー図に従って説明する。
センタ装置３０は、設定時或いは正常時に旧親機のＭＡＣアドレスと子機のＭＡＣアドレスを記憶しておく（Ｓ２０１）。親機を交換するときは、その操作入力部３５から再縁組み処理を指示すると、制御部３１は、記憶部３３から旧親機のＭＡＣアドレスと子機のＭＡＣアドレスを抽出し（Ｓ２０２）、続いて、抽出した前記ＭＡＣアドレスを新親機に送信する（Ｓ２０３）。新親機は、センタ装置３０から前記ＭＡＣアドレスを受信すると（Ｓ２０４）、これらを保存して新親機と子機の縁組み処理を行い（Ｓ２０５）、次に、旧親機及び子機のＭＡＣアドレスを用いて、子機１０に登録要求信号と共に新親機のＭＡＣアドレスを送信する（Ｓ２０６）。子機１０は新親機から送信された新親機のＭＡＣアドレスを保存する（Ｓ２０７）。その際、子機は、新旧親機の２種類のＭＡＣアドレスを格納するか或いは旧親機のＭＡＣアドレスの上に新親機のＭＡＣアドレスを上書きして消去する。
子機が保存を完了したとき完了信号を親機に送信し、親機はさらにセンタに縁組み情報と共に処理完了信号を送信することで全ての処理が完了する。
【００２３】
この実施形態による場合は、予め親機と子機のＭＡＣアドレスをセンタ装置で読み出して保存しておく必要があるが、例えば、監視システムを最初に設置するときにこれを行っておけば、実際に親機が故障した場合でも、新親機と子機との再縁組処理は全てセンタ装置側の操作で行うことができ、親機の設置位置にパソコンを持ち込む必要が無く便利である。
【図面の簡単な説明】
【００２４】
【図１】本発明に係る監視システムの１実施形態のブロック図である。
【図２】親機及び子機からなる検針端末システムのブロック図である。
【図３】センタ装置のブロック図である。
【図４】無線子機と親機の縁組の手順を示す第１の実施形態のフロー図である。
【図５】無線子機と親機の縁組の手順を示す第２の実施形態のフロー図である。
【符号の説明】
【００２５】
１０・・・子機、１１・・・通信１／Ｆ部、１２・・・制御部、１３・・・アドレス記憶部、１４・・・ＭＣＡアドレス、２０・親機、２１・・・通信１／Ｆ部、２２・・・制御部、２３・・・アドレス記憶部、２４・・・表示部、２５・・・操作入力部、２６・・・ＭＡＣアドレス、３０・・・センタ装置、３１・・・制御部。
【図１】
2006245638.tif 000003
【図２】
2006245638.tif 000004
【図３】
2006245638.tif 000005
【図４】
2006245638.tif 000006
【図５】
2006245638.tif 000007